(57)【要約】  複数の収容要素と、収容要素に収容される複数の固定要素と、を有する固定要素の帯状連続体であって、固定要素は、全ての固定要素に関して同一である固定方向をそれぞれ規定し、収容要素は、少なくとも１列に配置され、搬送方向と、最前方収容要素と、最後方収容要素とを規定し、固定方向と搬送方向とが鋭角を囲み、固定要素の帯状連続体は、固定方向とは反対方向で最前方収容要素を支持するための支持要素、及び／又は、固定方向で最後方収容要素を支持するための対向支持要素を有する、固定要素の帯状連続体。【選択図】図１
2021505830.tif 000002
【特許請求の範囲】
【請求項１】
複数の収容要素と、該収容要素に収容される複数の固定要素と、を有する固定要素の帯状連続体であって、
前記固定要素は、全ての固定要素に関して同一である固定方向をそれぞれ規定し、
前記収容要素は、少なくとも１列に配置され、搬送方向と、最前方収容要素と、最後方収容要素とを規定し、
前記固定方向と前記搬送方向とが鋭角を囲み、
前記固定要素の帯状連続体は、前記固定方向とは反対方向で前記最前方収容要素を支持するための支持要素、及び／又は、前記固定方向で前記最後方収容要素を支持するための対向支持要素を有する、固定要素の帯状連続体。
【請求項２】
前記最前方収容要素が前記支持要素を有する、請求項１記載の固定要素の帯状連続体。
【請求項３】
前記最後方収容要素が前記対向支持要素を有する、請求項１又は２記載の固定要素の帯状連続体。
【請求項４】
前記支持要素は、前記搬送方向において前記固定要素の帯状連続体の前方に配置された、先行する固定要素の帯状連続体の対向支持要素で、前記最前方収容要素を支持するのに適している、請求項１から３までのいずれか１項記載の固定要素の帯状連続体。
【請求項５】
前記対向支持要素は、前記搬送方向において前記固定要素の帯状連続体の後方に配置された、後続する固定要素の帯状連続体の支持要素で、前記最後方収容要素を支持するのに適している、請求項１から４までのいずれか１項記載の固定要素の帯状連続体。
【請求項６】
前記支持要素は、前記搬送方向において前記最前方収容要素から突出する突起を備える、請求項１から５までのいずれか１項記載の固定要素の帯状連続体。
【請求項７】
前記対向支持要素は、前記搬送方向と反対方向において前記最後方収容要素から突出する対向支持突起を備える、請求項１から６までのいずれか１項記載の固定要素の帯状連続体。
【請求項８】
前記収容要素は、それぞれ、前記固定要素のうちの１つが収容されるスリーブを備える、請求項１から７までのいずれか１項記載の固定要素の帯状連続体。
【請求項９】
マガジンと、固定要素の第１帯状連続体と、固定要素の第２帯状連続体とを有する固定装置であって、
前記マガジンは、前記固定要素の第１帯状連続体及び第２帯状連続体を搬送方向において搬送するための搬送通路を有し、
前記固定要素の第１帯状連続体及び第２帯状連続体は、請求項１から８までのいずれか１項記載のように構成されている、固定装置。
【請求項１０】
前記搬送方向において後続する固定要素の帯状連続体の支持要素と、前記搬送方向において先行する固定要素の帯状連続体の対向支持要素とは、互いに係合し合い、互いに支持し合う、請求項９記載の固定装置。
【発明の詳細な説明】
【技術分野】
【０００１】
本出願は、固定要素の帯状連続体に関する。
【背景技術】
【０００２】
駆動装置は、通常、複数の固定要素のための固定方向に延びる設置溝と、搬送方向において固定要素を設置溝に搬送するためのマガジンと、を有する。固定要素は、通常、固定要素の帯状連続体の形態で利用可能とされており、このような固定要素の帯状連続体は、複数の固定要素のための複数の容器を含む。帯状連続体の容器は、１列に配置され、接続ウェブによって互いに結合されている。固定要素の帯状連続体は、マガジンの搬送溝内に次々に導入される。
【０００３】
マガジン及び固定要素の帯状連続体は、固定方向及び搬送方向が鋭角を包囲するものとして知られている。これは、固定要素が固定方向において互いに対してオフセットされていることを意味しており、これにより、搬送方向における最前方固定要素は、固定方向における最前方固定要素でもある。固定要素の複数の帯状連続体が搬送溝内で縦一列に配置される場合、これにより、搬送方向において後続する固定要素の帯状連続体が、搬送方向において先行する固定要素の帯状連続体に、固定方向とは反対方向の力成分を有する力を及ぼすという効果が生じる。これは、固定要素の帯状連続体を搬送する間、摩擦の増加をもたらす。
【発明の概要】
【０００４】
本発明の目的は、マガジン内で容易に搬送可能な固定要素の帯状連続体を利用可能にすることである。
【０００５】
この目的は、複数の収容要素と、該収容要素に収容される複数の固定要素と、を有する固定要素の帯状連続体によって達成され、固定要素は、全ての固定要素に関して同一である固定方向をそれぞれ規定し、収容要素は、少なくとも１列に配置され、搬送方向と、最前方収容要素と、最後方収容要素とを規定し、固定方向と搬送方向とが鋭角を囲み、固定要素の帯状連続体は、固定方向とは反対方向で最前方収容要素を支持するための支持要素、及び／又は、固定方向で最後方収容要素を支持するための対向支持要素を有する。最前方収容要素及び最後方収容要素の支持体を介して、固定方向において又は固定方向とは反対方向において収容要素に働く力成分が吸収され、これにより、マガジンの搬送溝内において固定要素の帯状連続体を搬送する間の摩擦力が低減される。
【０００６】
有利な実施形態は、最前方収容要素が支持要素を有し、及び／又は、最後方収容要素が対向支持要素を有することを特徴とする。
【０００７】
有利な実施形態は、支持要素は、搬送方向において固定要素の帯状連続体の前方に配置された、先行する固定要素の帯状連続体の対向支持要素で、最前方収容要素を支持するのに適しており、且つ／又は、対向支持要素は、搬送方向において固定要素の帯状連続体の後方に配置された、後続する固定要素の帯状連続体の支持要素で、最後方収容要素を支持するのに適していることを特徴とする。
【０００８】
有利な実施形態は、支持要素が、搬送方向において最前方収容要素から突出する突起を備え、及び／又は、対向支持要素が、搬送方向と反対方向において最後方収容要素から突出する対向支持突起を備えることを特徴とする。
【０００９】
有利な実施形態は、収容要素は、それぞれ、固定要素のうちの１つが収容されるスリーブを備えることを特徴とする。
【００１０】
有利な実施形態は、固定要素の帯状連続体が、駆動装置のマガジンにおける搬送通路内で搬送方向に搬送されるのに適していることを特徴とする。固定要素は、釘、ピン、ボルト、ねじ、ダウエル、アンカー、またはこれらと類似するものとして構成されることが好ましい。
【００１１】
この目的は、同様に、マガジンと、固定要素の第１帯状連続体と、固定要素の第２帯状連続体とを有する固定装置によって達成され、マガジンは、固定要素の第１帯状連続体及び第２帯状連続体を搬送方向において搬送するための搬送通路を有し、固定要素の第１ストリップ及び第２ストリップは、上述した実施形態のいずれか１つに従って構成される。好ましくは、搬送方向において後続する固定要素の帯状連続体の支持要素と、搬送方向において先行する固定要素の帯状連続体の対向支持要素とは、互いに係合し合い、互いに支持し合う。
【００１２】
固定要素を基体内に突き入れるための装置の実施形態を、幾つかの例示に基づいて、図面を参照しつつ、以下において詳細に説明する。
【図面の簡単な説明】
【００１３】
【図１】図１は、固定要素の２つの帯状連続体を部分側面図で示す。
【図２】図２は、固定要素の１つの帯状連続体を部分側面図で示す。
【図３】図３は、固定要素の２つの帯状連続体を部分側面図で示す。
【発明を実施するための形態】
【００１４】
図１は、固定要素の第１帯状連続体１０と固定要素の第２帯状連続体２０とを部分側面図で示す。固定要素の第１帯状連続体１０は、スリーブとして構成された多数の第１収容要素１１と、当該第１収容要素１１に収容され、各々が固定方向３０を規定する多数の第１固定要素１２とを備える。当該固定方向３０は全ての第１固定要素１２に関して同じである。第１収容要素１１は、搬送方向４０に沿って２列に配置されている。固定要素の第２帯状連続体２０は、スリーブとして構成された多数の第２収容要素２１と、当該第２収容要素２１に収容され、各々が固定方向３０に方向付けられた多数の第２固定要素２２とを備える。第２収容要素２１は、搬送方向４０に沿って２列に配置されている。固定要素の第１帯状連続体１０は、搬送方向４０において、後続する固定要素の帯状連続体を形成し、固定要素の第２帯状連続体２０は、搬送方向４０において、先行する固定要素の帯状連続体を形成する。
【００１５】
固定方向３０及び搬送方向４０は、７０°の角度を包囲する。固定要素における第２帯状連続体２０の最後方収容要素２３は対向支持要素２５を有し、当該対向支持要素２５は、第１帯状連続体１０の収容要素における最前方収容要素１３に接触して、当該最後方収容要素２３を固定方向３０において支持する。この目的のために、対向支持要素２５は対向支持突起として構成されており、当該対向支持突起は、搬送方向４０と反対方向に最後方収容要素２３から突出し、固定要素の第１帯状連続体１０の最前方収容要素１３の下方から支えている。したがって、固定要素の第１帯状連続体１０及び第２帯状連続体２０は、固定方向３０に対して形状適合方式（form-fit manner）で互いに係合する。
【００１６】
図２は、固定要素の帯状連続体１１０を部分側面図で示す。固定要素の帯状連続体１１０は、スリーブとして構成された多数の収容要素１１１と、当該収容要素１１１に収容され、各々が固定方向１３０を規定する多数の固定要素１１２とを備える。当該固定方向１３０は全ての固定要素１１２に関して同じである。第１収容要素１１１は、搬送方向１４０に沿って１列に配置されている。
【００１７】
固定方向１３０及び搬送方向１４０は、７０°の角度を包囲する。搬送方向１４０における固定要素の帯状連続体１１０の最後方収容要素１２３は対向支持要素１２５を有し、当該対向支持要素１２５は、最後方収容要素１２３を固定方向３０において支持する。この目的のために、対向支持要素１２５は対向支持突起として構成されており、当該対向支持突起は、搬送方向４０と反対方向に最後方収容要素１２３から突出している。
【００１８】
図３は、固定要素の帯状連続体２１０を部分側面図で示す。固定要素の帯状連続体２１０は、スリーブとして構成された多数の収容要素２１１と、当該収容要素２１１に収容され、各々が固定方向２３０を規定する多数の固定要素２１２とを備える。当該固定方向２３０は全ての固定要素２１２に関して同じである。第１収容要素２１１は、搬送方向２４０に沿って１列に配置されている。固定方向２３０及び搬送方向２４０は、７０°の角度を包囲する。
【００１９】
製造を簡略化するために、全ての収容要素２１１は同じ輪郭を有する。固定要素の帯状連続体２１０の各収容要素２１１は、支持突起として構成された支持要素２１５と、対向支持突起として構成された対向支持要素２２５とを有しており、当該支持要素２１５は、搬送方向２４０において収容要素２１１から突出しており、当該対向支持要素２２５は、搬送方向２４０と反対方向に収容要素２１１から突出している。固定要素の帯状連続体２１０の最前方収容要素（図示せず）の支持要素は、当該最前方収容要素を、搬送方向２４０において先行する固定要素の帯状連続体の最後方収容要素（同様に図示せず）の対向支持要素で、固定方向とは反対方向において支持する。固定要素の帯状連続体２１０の最後方収容要素（図示せず）の対向支持要素は、当該最後方収容要素を、搬送方向２４０において後続する固定要素の帯状連続体の最前方収容要素（同様に図示せず）の支持要素で、固定方向において支持する。
【００２０】
本発明は、一連の例示的な実施形態を使用して説明されてきた。様々な例示的な実施形態の個々の特徴は、矛盾しない限り、個々に、または互いに任意の所望の組み合わせで使用することができる。本発明による固定要素の帯状連続体は、他の用途にも使用することができることに留意されたい。
【図１】
2021505830.tif 000003
【図２】
2021505830.tif 000004
【図３】
2021505830.tif 000005
【国際調査報告】
2021505830.tif 000006
2021505830.tif 000007
2021505830.tif 000008
2021505830.tif 000009
2021505830.tif 000010
2021505830.tif 000011